(57)【特許請求の範囲】
【請求項１】
媒体を出し入れする挿入口に設けられる扉と、
上記扉を支持する側板と、
上記側板の上方に設けられたカバーを有する電子機器において、
上記扉には上記側板に組付けるための軸が設けられるとともに、
上記側板には上記扉の上記軸を支持する軸受が設けられ、
上記軸受が上記カバーの被位置決め部となることを特徴とする電子機器。
【請求項２】
軸受は、側板に孔をあけると共に、該孔あけ時に上記側板の一側面側に円筒状の捲れ上がり部を設けることにより形成されている請求項１の電子機器。
【請求項３】
扉は、閉方向への回動力を付与する扉戻しバネと、該バネにより閉方向への回動力を付与された扉を閉位置で停止させるストッパーを有している請求項１又は請求項２の電子機器。
【請求項４】
側板は、扉枠を取付けるための扉枠取付部を有している請求項１又は請求項２又は請求項３の電子機器。
【発明の詳細な説明】
【０００１】
【産業上の利用分野】
この発明はディスク挿入口を開閉する扉を取付ける扉取付機構を改良したフロッピーディスクドライブ（ＦＤＤ）等の電子機器に関するものである。
【０００２】
【従来の技術】
フロッピーディスクドライブは音飛びやノイズの原因となるダストや、外部から電磁波を嫌う。
【０００３】
そこで、フロッピーディスクドライブには一般に、ディスク挿入口に扉が設けられていて、ディスク挿入時、排出時以外はディスク挿入口を閉じて、該ディスク挿入口からドライブ内にダストが侵入するのを可及的に防止するようになっている。また、シャーシの上方を覆うように電磁シールドカバーが取付けられていて、該カバーで外部からの電磁波を遮蔽するようになっている。
【０００４】
そして、上記扉や電磁シールドカバーを取付けるのに従来は、次の第１，第２の２つの機構（方法）が用いられている。
【０００５】
第１の機構は、図６に示したように、扉１０１を予め回動可能に取付けた扉枠１０２を使用し、該扉枠１０２の左右両側部に設けた係止爪１０３…１０３をシャーシ１０４の左右両側部に配置した板金製の側板１０５，１０６に設けた扉枠取付部１０７…１０７に係合させて取付ける。一方、電磁シールドカバー１０８は、左右の側面板１０９，１１０に設けた位置決め用の切欠部１１１に、上記板金製の側板１０５，１０６に設けた位置決め用の突起１１２を嵌合することにより、所謂位置決めされた状態でシャーシ１０４に取付けられるようになっている。
【０００６】
第２の機構は、図７に示したように、扉１０１の左右両側部に設けた枢支軸１１３，１１４を、板金製の側板１０５，１０６に設けた軸受孔１１５，１１６に挿入して回動可能に取付ける。一方、電磁シールドカバー１０８は、上述の第１の機構と同様に、左右の側面板１０９，１１０に設けた切欠部１１１に、上記板金製の側板１０５，１０６に設けた位置決め用の突起１１２を嵌合することにより、シャーシ１０４上に位置決めした状態で取付けられるようになっている。
【０００７】
なお、１１７はフロッピーディスクカートリッジである。
【０００８】
【発明が解決しようとする課題】
ところで、上記従来の機構には次に述べるような問題点がある。
【０００９】
（１）電磁シールドカバー１０８を位置決めするための位置決め用の突起１１２と、扉枠取付部１０７…１０７又は軸受孔１１５，１１６を独立別個に形成していたために、板金製の側板１０５，１０６の加工工程が増え、加工コスト乃至製品コストが高くなる。
【００１０】
（２）第１の機構を採用したフロッピーディスクドライブには、扉１０１を直接、板金製の側板１０５，１０６に取付けることができず、また、第２の機構を採用したフロッピーディスクドライブには、扉１０１を予め回動可能に取付けた扉枠１０２を使用するのが困難である。
【００１１】
この発明は、上記従来の問題点を解決し、位置決め用の突起や軸受孔を容易に形成することができ、かつ、扉を直接、板金製の側板に取付けたり、或は扉枠を介して間接的に扉を板金製の側板に取付けることもできる電子機器を提供することを目的として為されたものである。
【００１２】
【課題を解決するための手段】
請求項１の電子機器は、媒体を出し入れする挿入口に設けられる扉と、上記扉を支持する側板と、上記側板の上方に設けられたカバーを有する電子機器において、
上記扉には上記側板に組付けるための軸が設けられるとともに、上記側板には上記扉の上記軸を支持する軸受が設けられ、上記軸受が上記カバーの被位置決め部となるようにした。
【００１３】
請求項２の電子機器は、請求項１の扉取付機構において、筒状の軸受は、板金製の側板に孔をあけると共に、該孔あけ加工時に、上記側板の一側面側に円筒状の捲れ上がり部を設けることにより形成した。
【００１４】
請求項３の電子機器は、請求項１又は請求項２の扉取付機構において、扉に、閉方向の回動力を付与するバネと、該バネにより閉方向の回動力を付与された扉を所定の閉位置で停止させるストッパーを設けた。
【００１５】
請求項４の電子機器は、請求項１又は請求項２又は請求項３の扉取付機構において、板金製の側板に、扉枠取付部を設けた。
【００１６】
【作用】
請求項１の電子機器にあっては、上記軸と軸受により、上記側板と上記扉とが組立てられ、上記軸受が上記カバーの位置決めを行う。
【００１７】
請求項２の電子機器にあっては、板金製の側板に、孔をあけながら、その周縁を上記側板の一側面から、所謂まくれ上がらせることにより、板金製の側板に、これと一体に軸受を形成することができる。
【００１８】
請求項３の電子機器にあっては、扉は、扉戻しバネのバネ力に抗して押圧することにより開かれていく。そして、上記押圧力を解除すると、扉戻しバネのバネ力で自動的に閉方向に回動し、所定の位置まで回動してくるとストッパーにより回動が阻止されて、扉は閉じた状態に維持される。
【００１９】
請求項４の電子機器にあっては、板金製の側板に、軸受と扉枠取付部を設けたので、上記軸受を利用して扉を直接、側板に取付けることができ、また、上記扉枠取付部を利用することにより、扉枠を介して、扉を間接的に板金製の側板に取付けることができる。
【００２０】
【実施例】
次に、この発明を施した電子機器としてフロッピーディスクドライブを例にとって説明する。
【００２１】
図１は、この発明を施したフロッピーディスクドライブを示す。
【００２２】
上記フロッピーディスクドライブ１は、シャーシ２と、該シャーシ２上に昇降可能に配置されたディスクホルダ３と、上記シャーシ２の左右両側部に配置されていて、上記ディスクホルダ３を昇降可能に支持している板金製の左右の側板（扉支持板）４，５と、これら側板４，５の一端側に回動可能に取付けられていて、上記ディスクホルダ３のディスク挿入口３ａを開閉する扉６と、上記シャーシ２乃至ディスクホルダ３の上方を覆うように、上記左右の側板４，５に取付けられる電磁シールドカバー７とを備えている。
【００２３】
上記シャーシ２上には、ターンテーブル１１と、上下（Ｓ０，Ｓ１）の磁気ヘッド１２，１３を設けたヘッドキャリッジ１４と、該ヘッドキャリッジ１４を走行させるキャリッジ駆動機構１５が設けられている。
【００２４】
上記キャリッジ駆動機構１５は、モータ１６とリードスクリュー１７を備えている。
【００２５】
そして、上記ディスクホルダ３を上昇させた状態において、フロッピーディスクカートリッジ２１の先端で、上記扉６を押すようにして、ディスク挿入口３ａからフロッピーディスクカートリッジ２１をディスクホルダ３内に挿入すると、該ディスクホルダ３の上面に設けたシャッタ開閉アーム２２によって、フロッピーディスクカートリッジ２１のシャッタ２３が開かれている。
【００２６】
そして、フロッピーディスクカートリッジ２１がディスクホルダ３内に完全に挿入された位置に来ると、該ディスクホルダ３は下降し、フロッピーディスクカートリッジ２１内のフフロッピーディスク２４のハブ２５を上記ターンテーブル１１上にチャッキングするようになっている。
【００２７】
次に、上記扉６について説明する。
【００２８】
扉６はプラスチックで略矩形の板状に形成されている。
【００２９】
上記扉６の長手方向の一端部には、扉戻しバネ３１を取付けるためのアーム部３２を介して枢支軸３３が設けられている。
【００３０】
また、上記扉６の他端側には、アーム部３４を介して枢支軸３５が設けられていると共に、該枢支軸３５の近傍には、上記扉戻しバネ３１により閉方向の回動力を付与された扉６を所定の閉位置に停止させるためのストッパー３６が設けられている。
【００３１】
そして、上記アーム部３２の外周に扉戻しバネ３１としての捩りコイルスプリングのコイル部３１ａを挿入した状態で、上記枢支軸３３，３５を、上記左右の側板４，５に設けた扉取付機構としての筒状の軸受３７，３８に挿入することにより、扉６は左右の側板４，５の間に回動可能に取付けられる。
【００３２】
そして、上記扉戻しバネ３１の一端部３１ｂを扉６に係止し、他端部３１ｃを一方の側板５に係止することにより、扉６は扉戻しバネ３１のバネ力で閉方向の回動力を付与され、かつ上記ストッパー３６が他方の側板４に係合して閉位置に維持されるようになっている。
【００３３】
次に、扉取付機構としての筒状の軸受３７，３８について説明する。
【００３４】
上記軸受３７，３８は、図４に示したように、上記板金製の側板４，５の一端側に孔３９をあけると共に、該孔あけ加工時（パーリング時）に上記板金製の側板４，５の一側面側に筒状に捲り上がり部（バリ）４０を設けることにより形成されている。
【００３５】
上記捲り上がり部４０は円筒状に形成されていて、その内周側の孔３９で上記扉６の枢支軸３３，３５を回転自在に支持するようになっていると共に、外周側に、電磁シールドカバー７の左右の側面板４１，４２に設けた位置決め用の切欠部４３を挿入することにより、電磁シールドカバー７を側板４，５間に位置決め支持するようになっている。
【００３６】
また、上記板金製の側板４，５の上記軸受３７，３８側の端部の上、下面には、図５に示したように、扉枠取付部４４，４５が設けられている。
【００３７】
そして、上記扉枠取付部４４，４５を利用することにより、図５に示したように、予め扉１０１を回動可能に取付けた既存の扉枠１０２を取付けて使用することもできるようになっている。
【００３８】
実施例のフロッピーディスクドライブは以上のような構成であるから、図１に示すように、上記軸受３７，３８を利用することにより、扉６を直接、板金製の側板４，５に取付けることができる。
【００３９】
そして、フロッピーディスクカートリッジ２１を挿入する際には、該カートリッジの先端で上記扉６は押され、扉戻しバネ３１のばね力に抗して枢支軸３３，３５を中心にして回動して、カートリッジ挿入口３ａを開いて、フロッピーディスクカートリッジ２１の挿入を許容するようになっている。
【００４０】
フロッピーディスクカートリッジ２１をカートリッジホルダ３内に挿入すると、該ホルダ３の上面に設けたシャッタ開閉アーム２２でフロッピーディスクカートリッジ２１のシャッタ２３が開かれる。
【００４１】
そして、上記ディスクカートリッシ２１がカートリッジホルダ３内の所定の位置まで挿入されると、上記扉６を開いたままの状態でフロッピーディスクカートリッジ２１はディスクホルダ３と一緒に下降してターンテーブル１１上にチャッキングされて、記録再生が行われる。記録再生終了後にイジェクト釦４６を押すとカートリッジホルダ３は上昇し、フロッピーディスクカートリッジ２１はシャッタ開閉アーム２２によりディスクホルダ３から僅かに押し出されてイジェクト位置で停止する。
【００４２】
しかるのち、フロッピーディスクカートリッジ２１をカートリッジホルダ３から引き抜くのである。
【００４３】
カートリッジホルダ３からディスクカートリッシ２１を引き抜くと、扉６は扉戻しバネ３１のばね力でストッパー３６が側板５に係合するまで回動して、カートリッジ挿入口３ａを閉じた状態に維持するのである。
【００４４】
なお、上述のように扉６を、側板４，５に直接、取付ける代わりに、図５に示したように、扉を予め回動可能に取付けた既存の扉枠１０２を、係止爪１０３…１０３を利用して上記扉枠取付部４４，４５に係合することにより、扉枠１０２を介して扉を側板４，５に取付けてもよい。
【００４５】
また、扉６を直接、側板４，５に取付ける場合でも、扉の付いていない扉枠を使用し、該扉枠を側板４，５に取付けて、扉６の周囲を覆うようにしてもよい。
【００４６】
また、実施例では、フロッピーディスクドライブにおいて、扉および電磁シールドカバーを取付ける場合を例にとって説明したが、他の分野、特に電子機器の分野において広く利用することができる。
【００４７】
【発明の効果】
この発明の電子機器には次に述べるような効果がある。
【００４８】
（１）請求項１の電子機器にあっては、軸受に、扉を回動可能に取付けるための機能と、カバーを取付けるための機能を持たせることができ、従って従来のように側板に扉を回動可能に取付けるための軸受孔とカバーを位置決めするための位置決め突起を別個に形成する場合に較べて側板の構造を簡素化できる。
【００４９】
（２）請求項２の電子機器にあっては、板金製の側板に孔あけ絞り加工（側板に軸孔をあけながら、その周縁部を捲り上がらせるようにするバーニング加工）を施すことにより容易に軸受を側板と一体に形成することができる。
【００５０】
（３）請求項３の電子機器にあっては、扉戻しバネとストッパーとにより、扉を閉じた状態に維持することができる。
【００５１】
（４）請求項４の電子機器にあっては、軸受を利用することにより扉を直接、側板（扉支持板）に取付けることができるのは勿論のこと、予め扉を取付けてある既存の扉枠を使用することも可能になる。
【図面の簡単な説明】
【図１】  分解斜視図。
【図２】  扉の部分の拡大斜視図。
【図３】  扉の一端側の拡大斜視図。
【図４】  要部の断面図。
【図５】  既存の扉枠を使用した場合の分解斜視図。
【図６】  従来例の分解斜視図。
【図７】  従来例の分解斜視図。
【符号の説明】
１…フロッピーディスクドライブ
４，５…板金製の側板（扉支持板）
６…扉
７…電磁シールドカバー
３１…扉戻しバネ
３６…ストッパー
３７，３８…筒状の軸受
３９…孔
４０…捲り上がり部
４４，４５…扉枠取付部
【図１】
0003718854.tif 000002
【図２】
0003718854.tif 000003
【図３】
0003718854.tif 000004
【図４】
0003718854.tif 000005
【図５】
0003718854.tif 000006
【図６】
0003718854.tif 000007
【図７】
0003718854.tif 000008